(57)【要約】【課題】衣類の折り畳み作業や整理整頓作業の作業性を向上させ、より望ましくは、衣類の折り畳みや整理整頓を通じて各種の社会問題の解決に寄与する。【解決手段】少なくとも一辺が直線状に形成された可撓性又は剛性の第１シート体及び第２シート体と、前記第１シート体と前記第２シート体の直線状に形成された辺を被連結辺として、これら被連結辺の略全体に亘って折り曲げ自在の第３シート体で連結した連結部と、前記第１シート体における前記被連結辺に隣接する２つの隣接辺の縁部にそれぞれ形成された係止部と、を備え、前記係止部は、前記隣接辺の間に紐材を掛け渡すために用いられ、前記第２シート体における前記被連結辺とその最大離間部との間の長さは、前記第１シート体における前記被連結辺と前記係止部における前記紐材の係止位置との間の長さよりも長くなるように構成されていることを特徴とする衣料折畳収納補助具。【選択図】図１
2016135687.tif 000002
【特許請求の範囲】
【請求項１】
少なくとも一辺が直線状に形成された可撓性又は剛性の第１シート体及び第２シート体と、
前記第１シート体と前記第２シート体の直線状に形成された辺を被連結辺として、これら被連結辺を連結する連結部と、
前記第１シート体における前記被連結辺に対向する辺の縁部に形成された係止部と、を備え、
前記係止部は、前記被連結辺に隣接する２つの隣接辺の間に紐材を掛け渡すために用いられ、
前記第２シート体における前記被連結辺とその最大離間部との間の長さは、前記第１シート体における前記被連結辺と前記係止部における前記紐材の係止位置との間の長さよりも長くなるように構成されていることを特徴とする衣料折畳収納補助具。
【請求項２】
前記第１シート体及び前記第２シート体は略方形であり、
前記第１シート体の前記被連結辺に対向する辺から前記被連結辺に向かって一定範囲は折り畳み対象衣料にて被包されない露出部を構成し、
前記係止部における前記紐材の係止位置は前記露出部に位置していることを特徴とする請求項１に記載の衣料折畳収納補助具。
【請求項３】
前記第１シート体と前記第２シート体を連結する連結部は、各々の連結辺に沿う縁部に形成された紐挿通孔と、当該紐挿通孔に通した連結紐とにより構成されることを特徴とする請求項１又は請求項２に記載の衣料折畳収納補助具。
【請求項４】
前記連結部と前記第１シート体と前記第２シート体とは樹脂で一体成型されており、前記連結部と前記第１シート体の境界部及び前記連結部と前記第２シート体の境界部は薄肉化により折り曲げ自在に構成されていることを特徴とする請求項１又は請求項２に記載の衣料折畳収納補助具。
【請求項５】
前記連結部はシート体により構成され、当該連結部のシート体には当該シート体よりも折り曲げ自在性の低い線状部が前記被連結辺に沿う方向に延設されていることを特徴とする請求項１又は請求項２に記載の衣料折畳収納補助具。
【請求項６】
前記被連結辺に沿う方向に延設される前記線状部は、前記連結部のシート体において、前記第１シート体と第２シート体の間に複数並設されていることを特徴とする請求項５に記載の衣料折畳収納補助具。
【請求項７】
前記第１シート体には、前記隣接辺又は前記露出部に対する連結部を介して開閉自在に設けられたフラップを有することを特徴とする請求項１〜請求項６の何れか１項に記載の衣料折畳収納補助具。
【請求項８】
前記第１シート体は、前記フラップが複数設けられており、
複数の前記フラップは、前記第１シート体に対面するように折り畳んだ際に互いに重畳し合わない位置関係で設けられていることを特徴とする請求項７に記載の衣料折畳収納補助具。
【発明の詳細な説明】
【技術分野】
【０００１】
本発明は、衣料折畳収納補助具に関する。
【背景技術】
【０００２】
従来、衣類の折り畳み、及び折り畳んだ衣類の整理収納を補助するための補助具について各種の提案がなされている。
【０００３】
特許文献１には、衣類を容易に均一な大きさに折り畳むことができ、かつ垂直収納可能にすることができる衣類折り畳み収納補助具が開示されている。この衣類折り畳み収納補助具は、展開された衣類上に、展開された状態で載置され用いられるものであり、複数の略方形の型体が折り曲げ自在な連結部により上下に連結されており、それぞれの略方形の型体の側部の両辺は、衣類を折り畳む際、幅方向の折り畳みのガイドとなり、それぞれの略方形の型体の連結部に接する上下の辺、は、衣類を長さ方向に折り畳む際、折り畳みのガイドとなり、折り畳み後の衣類の形状は前記略方形の型体が芯材となることで保持されることを特徴とする。
【０００４】
特許文献２には、衣類を型崩れなく垂直重ね収納でき、スムーズな衣類の出し入れも可能にする衣類収納補助具が開示されている。この衣類収納補助具は、収納形状に折り畳まれた衣類の上側外面または下側外面に着接される略四角形状の仕切り板と、収納形状の衣類の前記二つ折りによる上下折重部の間に挟み入れられる押さえ板とを備え、仕切り板の少なくとも外側表面は平滑面とし、押さえ板の内外両面はゴム面または凹凸面とする。衣類を収納するときは、収納形状の衣類の前記二つ折りによる上下折重部の間に押さえ板を挟み入れ、押さえ板と仕切り板とで上下折重部のいずれか一方を挟むと共に、押さえ板の上端縁を二つ折り箇所の内側に突き当て、かつ、収納場所内で隣接する衣類との間に仕切り板を介在させ、仕切り板の平滑面の滑りによりスムーズに衣類を出し入れする。
【０００５】
特許文献３には、ワイシャツやブラウス等の衣類を一定の大きさ及び形状に簡単且つ迅速に折り畳むことができる、折り畳み用補助具が開示されている。この折り畳み用補助具１は、衣類の折り畳んだ形と略同形の平面形状に形成されており、所要の位置に切り込みを入れることにより、衣類の折り畳んだ部分を弾力的に挟持可能な挟持片が形成されている。
【先行技術文献】
【特許文献】
【０００６】
【特許文献１】特開２０１４−３１２１５号公報
【特許文献２】特開２００７−１４５４２０号公報
【特許文献３】特開平７−２３７６８０号公報
【発明の概要】
【発明が解決しようとする課題】
【０００７】
上述した各特許文献に記載の補助具は、折り畳み作業の作業性、折り畳んだ衣類の整理整頓の容易性、収納された衣類の一覧性、等の点で向上の余地がある。また、上述した特許文献に記載の補助具は、衣類の畳みやすさや、折り畳んだ衣類の収納性や取り出しやすさ、等の作業性を向上させるという効率的な観点に基づいた工夫は多々見受けられるものの、各種の社会問題の解決に寄与するという高次の視点が見当たらない。例えば、衣類の折り畳みや整理を楽しめるものとしたり、衣類の折り畳みや整理整頓作業を通して青少年や子供の習慣や教養を育んだり、衣類の折り畳みや整理整頓作業を老人のリハビリに利用するといった観点に基づく工夫は見当たらない。
【０００８】
本発明は、前記課題に鑑みてなされたもので、衣類の折り畳み作業や整理整頓作業の作業性を向上させ、より望ましくは、衣類の折り畳みや整理整頓を通じて各種の社会問題の解決に寄与することを志して行われたものである。
【課題を解決するための手段】
【０００９】
本発明の態様の１つは、少なくとも一辺が直線状に形成された可撓性又は剛性の第１シート体及び第２シート体と、前記第１シート体と前記第２シート体の直線状に形成された辺を被連結辺として、これら被連結辺を連結する連結部と、前記第１シート体における前記被連結辺に対向する辺の縁部に形成された係止部と、を備え、前記係止部は、前記被連結辺に隣接する２つの隣接辺の間に紐材を掛け渡すために用いられ、前記第２シート体における前記被連結辺とその最大離間部との間の長さは、前記第１シート体における前記被連結辺と前記係止部における前記紐材の係止位置との間の長さよりも長くなるように構成されていることを特徴とする衣料折畳収納補助具である。
【００１０】
このように構成された衣料折畳収納補助具によれば、連結部によって第１シート体と第２シート体とが連結されているため、連結部を折り曲げて第１シート体と第２シート体とを対面状態に配置することが可能であり、このときの第１シート体と第２シート体の間隔を連結部の幅以下に規制することができる。また、第２シート体における被連結辺とその最大離間部との間の長さは、第１シート体における被連結辺と係止部における紐材の係止位置との間の長さよりも長くなるように構成されているため、紐材で第１シート体と第２シート体及びこれらに巻き回された衣料を、係止部に係止された紐材で一束化することができる。
【００１１】
本発明の選択的な態様の１つは、前記第１シート体及び前記第２シート体は略方形であり、前記第１シート体の前記被連結辺に対向する辺から前記被連結辺に向かって一定範囲は折り畳み対象衣料にて被包されない露出部を構成し、前記係止部における前記紐材の係止位置は前記露出部に位置していることを特徴とする衣料折畳収納補助具である。
【００１２】
このように構成された衣料折畳収納補助具によれば、第１シート体の露出部に紐材の係止部を設けることにより、紐材を係止部に係止したまま紐材を第２シート体に掛け回して第１シート体方向に引き寄せる牽引力を加えることができる。
【００１３】
本発明の選択的な態様の１つは、前記第１シート体と前記第２シート体を連結する連結部は、各々の連結辺に沿う縁部に形成された紐挿通孔と、当該紐挿通孔に通した連結紐とにより構成されることを特徴とする衣料折畳収納補助具である。
【００１４】
このように構成された衣料折畳収納補助具によれば、第１シート体と第２シート体の連結辺の間隔を連結紐が規定することとなる。従って、連結紐の調整により、第１シート体と第２シート体の連結辺の間隔を自在に調整可能となる。また、衣料折畳収納補助具の使用者が連結紐の種類や模様を自由に選択できるため、使用者の利便性、趣味嗜好に対する満足度が向上する。
【００１５】
本発明の選択的な態様の１つは、前記連結部と前記第１シート体と前記第２シート体とは樹脂で一体成型されており、前記連結部と前記第１シート体の境界部及び前記連結部と前記第２シート体の境界部は薄肉化により折り曲げ自在に構成されていることを特徴とする衣料折畳収納補助具である。
【００１６】
このように構成された衣料折畳収納補助具によれば、第１シート体と第２シート体及び連結部が樹脂で一体成型されるため、製造コストが少なくて済む。
【００１７】
本発明の選択的な態様の１つは、前記連結部はシート体により構成され、当該連結部のシート体には当該シート体よりも折り曲げ自在性の低い線状部が前記被連結辺に沿う方向に延設されていることを特徴とする衣料折畳収納補助具である。
【００１８】
このように構成された衣料折畳収納補助具によれば、連結部のシート体における捩れや歪みの発生を低下させて、第１シート体と第２シート体を対面状態に配置したときの連結部のシート体における折り目を美しく保つことができる。
【００１９】
本発明の選択的な態様の１つは、前記被連結辺に沿う方向に延設されている前記線状部は、前記連結部のシート体において、前記第１シート体と第２シート体の間に複数並設されていることを特徴とする衣料折畳収納補助具である。
【００２０】
このように構成された衣料折畳収納補助具によれば、連結部のシート体における捩れや歪みの発生を更に低下させて、第１シート体と第２シート体を対面状態に配置したときの連結部のシート体における折り目を更に美しく保つことができる。
【００２１】
本発明の選択的な態様の１つは、前記第１シート体には、前記隣接辺又は前記露出部に対する連結部を介して開閉自在に設けられたフラップを有することを特徴とする衣料折畳収納補助具である。
【００２２】
このように構成された衣料折畳収納補助具によれば、第１シート体に巻き回される衣料の各部の間に介挿する介挿材としてフラップを利用可能になるとともに、フラップを各種の社会問題の解決において多岐に亘る利用法を提案するための仕掛けの一つとして利用可能になる。
【００２３】
本発明の選択的な態様の１つは、前記第１シート体は、前記フラップが複数設けられており、複数の前記フラップは、前記第１シート体に対面するように折り畳んだ際に互いに重畳し合わない位置関係で設けられていることを特徴とする衣料折畳収納補助具である。
【００２４】
このように構成された衣料折畳収納補助具によれば、第１シート体に巻き回される衣料の各部の間に介挿する介挿材として利用するフラップ数が増えるとともに、各種の社会問題の解決において多岐に亘る利用法を提案するための仕掛けの多様性を向上することが可能となる。
【００２５】
以上説明した衣料折畳収納補助具は、他の器具やシステムと組み合わせて実施されたり、他の方法とともに実施されたりする等の各種の態様を含む。また、本発明は、上述した衣料折畳収納補助具の各構成に対応した工程を有する衣料折畳収納補助具の製造方法、当該製造方法の各工程に対応した機能を有する製造装置、及び、当該製造装置に前記製造方法の各工程に対応した機能を実現させるためのプログラム、該プログラムを記録したコンピュータ読み取り可能な記録媒体、等としても実現可能である。
【発明の効果】
【００２６】
本発明によれば、衣類の折り畳み作業や整理整頓作業の作業性を向上させるとともに、衣類の折り畳みや整理を楽しませたり、衣類の折り畳みや整理作業を通して習慣や教養を育んだりする工夫を適宜に織り交ぜることが可能となる。
【図面の簡単な説明】
【００２７】
【図１】第１の実施形態に係る衣料折畳収納補助具を示す図である。
【図２】第１の実施形態に係る衣料折畳収納補助具の使用方法の一例を説明する図である。
【図３】第２の実施形態に係る衣料折畳収納補助具及びこれにより折畳まれるセーターを斜視的に示した図である。
【図４】第２の実施形態に係る整形状態を示す図である。
【図５】第３の実施形態に係る衣料折畳収納補助具及びこれにより折畳みされるハンカチを斜視的に示した図である。
【図６】第３の実施形態に係る衣料折畳収納補助具の使用方法の一例を説明する図である。
【図７】第４の実施形態に係る衣料折畳収納補助具を示す図である。
【図８】第４の実施形態に係る衣料折畳収納補助具の他の例を示す図である。
【図９】第５の実施形態に係る衣料折畳収納補助具の各種態様を平面的に示す図である。
【図１０】第５の実施形態に係る衣料折畳収納補助具の１例を平面的に示す図である。
【図１１】第５の実施形態に係る衣料折畳収納補助具の１例を平面的に示す図である。
【図１２】第６の実施形態に係る衣料折畳収納補助具を平面的に示す図である。
【図１３】第７の実施形態に係る衣料折畳収納補助具を平面的に示す図である。
【図１４】第７の実施形態に係る衣料折畳収納補助具を平面的に示す図である。
【図１５】第８の実施形態に係る衣料折畳収納補助具を平面的に示す図である。
【図１６】係止部の構造の変形例の１つを示す図である。
【図１７】係止部の構造の変形例の１つを示す図である。
【図１８】係止部の構造の変形例の１つを示す図である。
【図１９】係止部の構造の変形例の１つを示す図である。
【図２０】係止部の構造の変形例の１つを示す図である。
【図２１】係止部の構造の変形例の１つを示す図である。
【図２２】第９の実施形態に係る衣料折畳収納補助具の１例を平面的に示す図である。
【図２３】第９の実施形態に係る衣料折畳収納補助具の１例を平面的に示す図である。
【図２４】第５の実施形態に係る衣料折畳収納補助具の１例を平面的に示す図である。
【図２５】第１０の実施形態に係る衣料折畳収納補助具を平面的に示す図である。
【図２６】第１１の実施形態に係る衣料折畳収納補助具を平面的に示す図である。
【発明を実施するための形態】
【００２８】
以下、下記の順序に従って本発明を説明する。
（１）第１の実施形態：
（２）第２の実施形態：
（３）第３の実施形態：
（４）第４の実施形態：
（５）第５の実施形態：
（６）第６の実施形態：
（７）第７の実施形態：
（８）第８の実施形態：
（９）第９の実施形態：
（１０）第１０の実施形態：
（１１）第１１の実施形態：
（１２）係止部の各種変形例：
【００２９】
（１）第１の実施形態： 
図１は、本実施形態にかかる衣料折畳収納補助具１００を示す図であり、図１（ａ）には衣料折畳収納補助具１００を平面的に示し、図１（ｂ）には衣料折畳収納補助具１００を側面的に示してある。
【００３０】
なお、本明細書において使用する「衣料」の用語は、「衣類」のみならず「衣類」の「原材料」となる染め物、布、レース等も含むものであり、衣料折畳収納補助具によって折畳まれたり収納されたりする対象物は「衣料」のみに限るものではなく、広くは折り畳み収納可能なシート状物であれば含みうるものであり、更には「衣料」とセットで使用される装身具等を「衣料」と一緒に衣料折畳収納補助具によって折り畳んだり収納したりしても構わない。
【００３１】
また、以下では折り畳み前の衣料を「非整形衣料」、衣料折畳収納補助具を用いて折り畳んだ衣料を「整形衣料」、衣料折畳収納補助具を用いて衣料を折り畳んだ状態を「整形状態」、折畳み前の衣料折畳収納補助具の状態を「展開状態」と記載する場合がある。
【００３２】
衣料折畳収納補助具１００は、第１シート体１０及び第２シート体２０、並びに、これら第１シート体１０と第２シート体２０を連結する連結部としての第３シート体３０とを備える。第１シート体１０及び第２シート体２０は一定程度以上の硬さを持つ可撓性又は剛性の材料で構成されている。本実施形態に係る第３シート体３０は第１シート体１０及び第２シート体２０に比べて柔軟性が高く折り曲げ自在な材料で構成されている。
【００３３】
第１シート体１０及び第２シート体２０は、少なくとも互いに対向する一辺（底辺１０Ｄと底辺２０Ｄ）が直線状に形成されており、図１に示す例では４辺（上辺１０Ｕ，２０Ｕ、底辺１０Ｄ，２０Ｄ、左辺１０Ｌ，２０Ｌ、右辺１０Ｒ，２０Ｒ）が直線状に形成された略方形に形成されている。なお、同図に示す第１シート体１０及び第２シート体２０は角を丸くした略角丸方形としてあり、折り畳み収納対象衣料を角部で痛めにくくしてある。
【００３４】
第１シート体１０と第２シート体２０は、被連結辺である底辺１０Ｄ及び底辺２０Ｄが第３シート体３０で連結されている。このため、底辺１０Ｄと底辺２０Ｄの間隔が第３シート体３０の幅Ｌ３０以上に離間しないように規制される。これにより、第１シート体１０の表面１０Ｓと第２シート体２０の表面２０Ｓ又は第１シート体１０の裏面１０Ｂと第２シート体２０の裏面２０Ｂを対面させて面平行に配置した場合に、その面間隔が第３シート体３０の幅Ｌ３０程度以上に離間しないように規制することができる。
【００３５】
なお、第１シート体１０及び第２シート体２０の大きさ及び形状、並びに第３シート体３０によって規定される幅Ｌ３０は、衣料折畳収納補助具１００によって折り畳み収納される衣料の形状や大きさ、衣料折畳収納補助具１００によって後述する手順で折り畳んだ際に第１シート体１０と第２シート体２０の間に挟持される衣料の嵩に応じて適宜に選択されるものであり、折り畳み収納対象衣料の種類ごとに設計することができる。
【００３６】
第１シート体１０の底辺１０Ｄと第２シート体２０の底辺２０Ｄは、その略全体に亘って第３シート体３０によって連結されている。このため、第１シート体１０の底辺１０Ｄと第２シート体２０の底辺２０Ｄを部分的に連結する態様に比べて、衣料折畳収納補助具１００を用いて折り畳まれた衣料の形状を安定させることができる。
【００３７】
なお、第１シート体１０、第２シート体２０、第３シート体３０及び紐材４０は、長期間に亘って劣化や粘着化等の変質が発生しにくい抗変質材で作成されることが好ましい。これにより、衣料折畳収納補助具１００の変質による折り畳み収納対象衣料に対する悪影響を防止することができる。
【００３８】
第１シート体１０における被連結辺としての底辺１０Ｄに隣接する２つの隣接辺としての左辺１０Ｌ及び右辺１０Ｒの縁部には、それぞれ係止部１１Ｌ，１１Ｒが形成されている。係止部１１Ｌ，１１Ｒの間には紐材４０が掛け渡される。紐材４０は、衣料を衣料折畳収納補助具１００に巻き回して第１シート体１０と第２シート体２０とが対面するように衣料折畳収納補助具１００を折り畳んだ状態において、第１シート体１０への係止を維持しつつ第２シート体２０に掛け回される。これにより、第２シート体２０を第１シート体１０に向けて引き寄せる紐材４０の牽引力によって衣料折畳収納補助具１００の整形状態が保持される。紐材４０は、弾性力を有さない非弾性紐材としてもよいし、弾性力を有する弾性紐材としてもよい。
【００３９】
第２シート体２０の被連結辺としての底辺２０Ｄとその底辺２０Ｄからの最大離間部である上辺２０Ｕとの間の長さＬ２０は、紐材４０を第２シート体２０に掛け回し可能にするべく、第１シート体１０における被連結辺としての底辺１０Ｄと係止部１１Ｌ，１１Ｒにおける紐材４０の係止位置１２Ｌ，１２Ｒとの間の長さＬ１１よりも長く形成してある。
【００４０】
また、第１シート体１０は、露出部１０ａと被包部１０ｂとを有する。露出部１０ａは、基本的に折り畳み対象衣料によって被包されない部位であり、被包部１０ｂは、折り畳み対象衣料によって被包される部位である。露出部１０ａは、第１シート体１０の被連結辺に対向する辺である上辺１０Ｕから被連結辺である底辺１０Ｄに向かって一定範囲である。この露出部１０ａは、係止部１１Ｌ，１１Ｒにおける紐材４０が係止される位置である係止位置１２Ｌ，１２Ｒを含んで構成される。
【００４１】
このため、衣料を衣料折畳収納補助具１００に巻き回して第１シート体１０と第２シート体２０とが対面するように衣料折畳収納補助具１００を折り畳んだ状態において、係止位置１２Ｌ，１２Ｒに第２シート体２０が対面することになる。従って、第１シート体１０に係止された紐材４０を第２シート体２０に巻き回された衣料ごと掛け回すことが確実に可能となる。しかも、係止位置１２Ｌ，１２Ｒを第１シート体１０の第３シート体３０と反対側の端部寄りに設けてあるため、紐材４０が第２シート体２０及びこれに巻き回された衣料を第１シート体１０に向けて引き寄せる弾性力が小さくて済む。
【００４２】
また、図１に示す第１シート体１０と第２シート体２０は、いずれも略同一形状の略方形としてある。このため、衣料折畳収納補助具１００に衣料を巻き回すように包んで第１シート体１０と第２シート体２０とが対面するように折り畳んだ状態において、第１シート体１０と第２シート体２０の間で、上辺１０Ｕと上辺２０Ｕ、底辺１０Ｄと底辺２０Ｄ、左辺１０Ｌと左辺２０Ｌ、右辺１０Ｒと右辺２０Ｒがそれぞれ対向し合う位置関係となる。これにより、整形衣料のバランス及びサイズ感が安定し、収納高さや収納幅が一定するため、箪笥等へ収納する際の整理収納が容易であり、箪笥等に収納した時の整列性が向上する。
【００４３】
また、図１に示す第１シート体１０では、係止部１１Ｌ，１１Ｒにおける紐材４０の係止位置１２Ｌ，１２Ｒを左右対称な位置関係で設けてある。すなわち、底辺１０Ｄと係止位置１２Ｌの間の長さと底辺１０Ｄと係止位置１２Ｒの間の長さがいずれも長さＬ１１で略一致している。このため、第２シート体２０及びこれに巻き回された衣料を第１シート体１０に向けて紐材４０が引き寄せて束ねる力が左右対称に加わることとなり、整形衣料に歪み等が発生せず形状が安定する。
【００４４】
次に、図２を参照して、衣料折畳収納補助具１００の使用方法の一例を説明する。同図には、衣料折畳収納補助具１００を用いて衣料の一例としてのＴシャツＣＬ１を折り畳む場合を例示してある。
【００４５】
なお、以下では、説明の都合上、図１（ｂ）に示す裏面１０Ｂ，２０Ｂが整形状態において対面し合う面としてあるが、本実施形態に係る衣料折畳収納補助具１００は表裏形状が略同一であるため表裏逆で使用してもよく、表面１０Ｓ，２０Ｓが整形状態において対面し合う面としても構わない。
【００４６】
まず、図２（ａ）に示すように、ＴシャツＣＬ１を広げた展開状態とし、そのＴシャツＣＬ１の上に衣料折畳収納補助具１００を表面１０Ｓ，２０Ｓ，３０ＳをＴシャツＣＬ１に向けて載置する。図２（ａ）には、ＴシャツＣＬ１の前面側を下にしてあり、ＴシャツＣＬ１の背面側に衣料折畳収納補助具１００を表面１０Ｓ，２０Ｓ，３０Ｓを対面させて載置した状態を示してある。
【００４７】
このとき、衣料折畳収納補助具１００の第１シート体１０の被包部１０ｂがＴシャツＣＬ１に重畳しつつ露出部１０ａがＴシャツＣＬ１の端部からはみ出すような位置関係で載置する。特に、露出部１０ａの係止位置１２Ｌ，１２ＲがＴシャツＣＬ１の端部からはみ出すような位置関係で載置する。図２（ａ）には、ＴシャツＣＬ１と衣料折畳収納補助具１００の左右対称線を略一致させつつ、ＴシャツＣＬ１の首回り部から露出部１０ａがはみ出すように配置した状態を示してある。
【００４８】
次に、図２（ｂ）に示すように、衣料折畳収納補助具１００の左右いずれか一方の端部に沿うラインを折り畳み線として衣料折畳収納補助具１００の裏面１０Ｂ，２０Ｂ，３０Ｂの上にＴシャツＣＬ１を折り重ねる。図２（ｂ）には、ＴシャツＣＬ１の左部を衣料折畳収納補助具１００の裏面１０Ｂ，２０Ｂ，３０Ｂの上に折り重ねた状態を示してある。
【００４９】
次に、図２（ｃ）に示すように、衣料折畳収納補助具１００の左右いずれか他方の端部に沿うラインを折り畳み線として衣料折畳収納補助具１００の裏面１０Ｂ，２０Ｂ，３０Ｂの上にＴシャツＣＬ１を折り重ねる。図２（ｃ）には、ＴシャツＣＬ１の右部を衣料折畳収納補助具１００の裏面１０Ｂ，２０Ｂ，３０Ｂの上に折り重ねたＴシャツＣＬ１の左部の更に上に折り重ねた状態を示してある。
【００５０】
次に、図２（ｄ）に示すように、衣料折畳収納補助具１００の第２シート体２０の上辺２０Ｕに沿うラインを折り畳み線として衣料折畳収納補助具１００の裏面１０Ｂ，２０Ｂ，３０Ｂの上にＴシャツＣＬ１を折り重ねる。図２（ｄ）には、ＴシャツＣＬ１の下部を衣料折畳収納補助具１００の裏面１０Ｂ，２０Ｂ，３０Ｂの上に折り重ねたＴシャツＣＬ１の左部や右部の上に更に折り重ねた状態を示してある。このように、衣料の左部、右部及び下部を必要に応じて適宜に衣料折畳収納補助具１００の裏面１０Ｂ，２０Ｂ，３０Ｂの上に折り重ねることにより、衣料折畳収納補助具１００にＴシャツＣＬ１を巻き回した状態が実現される。
【００５１】
次に、図２（ｅ）に示すように、裏面１０Ｂ、２０Ｂ，３０Ｂの上に折り重ねられた衣料を第１シート体１０と第２シート体２０で挟持するように衣料折畳収納補助具１００を第３シート体３０で折り曲げて第１シート体１０と第２シート体２０の裏面１０Ｂ，２０Ｂを対面状態とする。
【００５２】
この状態で、図２（ｂ）に示すように、第１シート体１０の係止部１１Ｌ，１１Ｒに係止されている紐材４０を、第２シート体２０の表面２０Ｓの側に掛け回し、衣料折畳補助具１００に巻き回された衣料ごと第１シート体１０と第２シート体２０を一束化する。これにより、衣料を巻き回して折畳まれた衣料折畳補助具１００を整形状態に保持することができる。
【００５３】
このように、本実施形態に係る衣料折畳収納補助具１００を用いると非常に容易かつ直感的に整形衣料を作成することができる。しかも、整形衣料から第１シート体１０の一部が露出部１０ａとして露出するため、第１シート体１０に各種の説明（夏物／冬物、使用者名、衣服の種類、購入年月日、ブランド名、衣料の状態、等）を露出部１０ａに付して収納することができる。すなわち、整形衣料を展開せずに衣料の情報を把握可能であり、しかも、衣料に直接シール等を付す必要がないため、シール剥がれが発生しにくく、長期間の収納後にも衣料へのシール粘着物の残着の懸念が無い。
【００５４】
（２）第２の実施形態：
次に、衣料折畳収納補助具の第２の実施形態について説明する。図３は、本実施形態に係る衣料折畳収納補助具２００及びこれにより折畳まれるセーターＣＬ２を斜視的に示してある。なお、本実施形態に係る衣料折畳収納補助具２００は、第３シート体を除くと上述した第１実施形態に係る衣料折畳収納補助具１００と同様であるため、第３シート体以外の構成については、第１の実施形態と同じ符号を用いて説明を行う。
【００５５】
本実施形態に係る衣料折畳収納補助具２００の第３シート体２３０は、幅（第１シート体１０と第２シート体２０の間隔の最大値）を第１実施形態に係る第３シート体３０よりも広くしてある。これにより、ＴシャツＣＬ１に比べて厚手の衣料としてのセーターＣＬ２を折畳収納に好適な衣料折畳収納補助具１００を実現することができる。
【００５６】
図４は、整形状態の衣料折畳収納補助具２００及びセーターＣＬ２を示す図である。セーターＣＬ２のように厚手の衣料では、第１シート体１０と第２シート体２０に挟持される部分が嵩張ることになるが、本実施形態に係る衣料折畳収納補助具２００のように第３シート体３０の幅を広く形成してある。
【００５７】
これにより、厚手の衣料でも第１シート体１０と第２シート体２０の間に無理なく挟持して整形状態とすることができる。すなわち、第１シート体１０と第２シート体２０に挟持される部分の嵩に応じた幅の第３シート体２３０とすることにより、衣料の嵩張り度合に応じた最適な衣料折畳収納補助具２００を実現できることが分かる。
【００５８】
（３）第３の実施形態：
次に、衣料折畳収納補助具の第３の実施形態について説明する。図５は、本実施形態に係る衣料折畳収納補助具３００及びこれにより折畳みされるハンカチＣＬ３を斜視的に示してある。
【００５９】
なお、本実施形態に係る衣料折畳収納補助具３００は、全体的なサイズの違いと第３シート体を除くと上述した第１実施形態に係る衣料折畳収納補助具１００と同様であるため、第３シート体以外の構成については、第一実施形態と同じ符号を用いて説明を行う。
【００６０】
本実施形態に係る衣料折畳収納補助具３００は、上述した第１実施形態に係る衣料折畳収納補助具１００に比べて全体的に小さめとしてあり、第１シート体１０と第２シート体２０を直接に接続又は極めて狭幅（第１シート体１０と第２シート体２０の間隔）の第３シート体で接続してある。これにより、ハンカチＣＬ３等のＴシャツＣＬ１に比べて小さく薄手の衣料の折畳収納に好適な衣料折畳収納補助具３００を実現することができる。
【００６１】
図６を参照して、衣料折畳収納補助具３００の使用方法の一例を説明する。同図には、衣料折畳収納補助具３００を用いて衣料の一例としてのハンカチＣＬ３を折り畳む場合を例にとって示してある。
【００６２】
まず、図６（ａ）に示すように、ハンカチＣＬ３を広げた展開状態とし、そのハンカチＣＬ３の上に衣料折畳収納補助具３００を表面１０Ｓ，２０Ｓ（図６には不図示）をハンカチＣＬ３に向けて載置する。図６（ａ）には、ハンカチＣＬ３に衣料折畳収納補助具３００の表面１０Ｓ，２０Ｓを対面させて載置した状態を示してある。
【００６３】
このとき、衣料折畳収納補助具３００の第１シート体１０の被包部１０ｂがハンカチＣＬ３に重畳しつつ露出部１０ａがハンカチＣＬ３の端部からはみ出すような位置関係で載置する。特に、露出部１０ａの係止位置１２Ｌ，１２ＲがハンカチＣＬ３の端部からはみ出すような位置関係で載置する。図２（ａ）には、ハンカチＣＬ３と衣料折畳収納補助具３００の左右対称線を略一致させ、ハンカチＣＬ３の一辺から露出部１０ａがはみ出すように配置した状態を示してある。
【００６４】
次に、図６（ｂ）に示すように、衣料折畳収納補助具３００の左右いずれか一方の端部に沿うラインを折り畳み線として衣料折畳収納補助具３００の裏面１０Ｂ，２０Ｂ（図６には不図示）の上にハンカチＣＬ３を折り重ねる。図６（ｂ）には、ハンカチＣＬ３の左部を衣料折畳収納補助具３００の裏面１０Ｂ，２０Ｂの上に折り重ねた状態を示してある。
【００６５】
次に、図６（ｃ）に示すように、衣料折畳収納補助具３００の左右いずれか他方の端部に沿うラインを折り畳み線として衣料折畳収納補助具３００の裏面１０Ｂ，２０Ｂの上にハンカチＣＬ３を折り重ねる。図６（ｃ）には、ハンカチＣＬ３の右部を衣料折畳収納補助具３００の裏面１０Ｂ，２０Ｂの上に折り重ねたハンカチＣＬ３の左部の更に上に折り重ねた状態を示してある。
【００６６】
次に、図６（ｄ）に示すように、第２シート体２０の上辺２０Ｕに沿うラインを折り畳み線として衣料折畳収納補助具３００の裏面１０Ｂ，２０Ｂの上にハンカチＣＬ３を折り重ねる。図２（ｄ）には、ハンカチＣＬ３の下部を衣料折畳収納補助具３００の裏面１０Ｂ，２０Ｂの上に折り重ねたハンカチＣＬ３の左部や右部の更に上に折り重ねた状態を示してある。このように、ハンカチＣＬ３の左部、右部及び下部を必要に応じて適宜に衣料折畳収納補助具３００の裏面１０Ｂ，２０Ｂの上に折り重ねることにより、衣料折畳収納補助具３００にハンカチＣＬ３を巻き回した状態が実現される。
【００６７】
次に、図６（ｅ）に示すように、裏面１０Ｂ、２０Ｂの上に折り重ねられたハンカチＣＬ３を第１シート体１０と第２シート体２０で挟持するように衣料折畳収納補助具３００を第１シート体１０と第２シート体２０の境界部で折り曲げて第１シート体１０と第２シート体２０の裏面１０Ｂ，２０Ｂを対面状態とする。
【００６８】
この状態で、図６（ｂ）に示すように、第１シート体１０の係止部１１Ｌ，１１Ｒに係止されている紐材４０を、衣料折畳収納補助具３００に巻き回されたハンカチＣＬ３ごと第１シート体１０と第２シート体２０が一束化するように、第２シート体２０の表面２０Ｓの側に掛け回す。これにより、ハンカチＣＬ３を巻き回して折り畳んだ衣料折畳収納補助具３００を整形状態に保持することができる
【００６９】
（４）第４の実施形態：
次に、衣料折畳収納補助具の第４の実施形態について説明する。図７（ａ）には衣料折畳収納補助具４００を平面的に示し、図７（ｂ）には衣料折畳収納補助具４００を側面的に示してある。なお、本実施形態に係る衣料折畳収納補助具４００は、第３シート体に当該第３シート体よりも折り曲げ性の低い線状部としての芯材を設けた点を除くと上述した第１の実施形態に係る衣料折畳収納補助具１００と同様の構成であるため、芯材以外の構成については、第１の実施形態と同じ符号を用いて説明を行う。
【００７０】
衣料折畳収納補助具４００の第３シート体３０には、第３シート体３０よりも折り曲げ自在性の低い線状の芯材４３１が、第１シート体１０の底辺１０Ｄや第２シート体２０の底辺２０Ｄに沿う方向に延設されている。なお、図７に示す芯材４３１は、裏面１０Ｂ，２０Ｂの側に凸状に設けてあるが、むろん表面１０Ｓ，２０Ｓの側に凸状に設けてもよいし、表裏両方に凸状に設けてもよいし、折り曲げ自在性が低ければ表裏いずれにも突出しなくてもよい。
【００７１】
このように、第３シート体３０に芯材４３１を設けることにより、第３シート体３０が捩れに強くなる。例えば、第１シート体１０と第２シート体２０を対面状にするべく第３シート体３０を屈曲させたときに、芯材４３１を設けない場合に比べて第３シート体３０の折り目に捩れが発生しにくくなり、整形状態において第３シート体３０を美しくキープすることができる。
【００７２】
なお、第３シート体３０には、図８に示すように芯材４３１を複数並設してもよく、第１シート体１０と第２シート体２０の間に複数の芯材４３１を略等間隔で設けることにより、第３シート体３０がより捩れに強くなる。これにより、整形状態において第３シート体３０をより美しくキープすることができる。
【００７３】
（５）第５の実施形態：
次に、衣料折畳収納補助具の第５の実施形態について説明する。図９〜図１１，図２５は、本実施形態に係る衣料折畳収納補助具５００の各種態様を平面的に示す図である。なお、本実施形態に係る衣料折畳収納補助具５００は、第１シート体の被連結辺に隣接する隣接辺又は露出部に対する連結部を介して開閉自在に設けられたフラップを有する点を除くと上述した第１の実施形態に係る衣料折畳収納補助具１００と同様の構成であるため、フラップ以外の構成については第１の実施形態と同じ符号を用いて説明を行う。また、図９〜図１１にはそれぞれ２つのフラップを設けた例を示してあるが、フラップの数は適宜に変更可能であり、１つでもよいし３つ以上設けてもよい。
【００７４】
図９，図１０に示す衣料折畳収納補助具５００は、左辺１０Ｌに対して連結されたフラップ５０１と、右辺１０Ｒに対して連結されたフラップ５０２とを有する。フラップ５０１，５０２は、第１シート体１０との連結部分で折り曲げ可能であり、この連結部分で折り曲げることによりフラップ５０１，５０２と第１シート体１０（の表面１０Ｓ又は裏面１０Ｂ）とを対面状態に折り畳むことができる。
【００７５】
これらフラップ５０１，５０２を設けることにより、衣料折り畳みにおける折り畳み個所を作業者に感覚的に把握させることができる。すなわち、第１の実施形態の衣料としてのＴシャツＣＬ１を例にとると、フラップ５０１を設けることによりＴシャツＣＬ１の左部を第１シート体１０の左辺１０Ｌ，２０Ｌに沿って折り畳むことを作業者に感覚的に把握させ、フラップ５０２を設けることによりＴシャツＣＬ１の右部を第１シート体１０の右辺１０Ｒ，２０Ｒに沿って折り畳むことを感覚的に把握させることができる。
【００７６】
また、フラップ５０１，５０２は、衣料を衣料折畳収納補助具５００に巻き回すように折り畳む際に各折り畳み部位の間の介挿材として用いることもできる。例えば、ＴシャツＣＬ１の左部をフラップ５０１とともに第１シート体１０及び第２シート体２０に向けて折り畳んだ後、ＴシャツＣＬ１の右部をフラップ５０２とともに第１シート体１０及び第２シート体２０に向けて折り畳むと、ＴシャツＣＬ１の左部と右部の間にフラップ５０２が介挿される。
【００７７】
特に、図９に示す例では、フラップ５０１，５０２は、第１シート体１０に対面状に折り畳んだ際に互いに重複しない位置関係で第１シート体１０に対して連結されている。より具体的には、フラップ５０１，５０２は上下に互い違いの位置関係で第１シート体１０に対して連結されている。このため、フラップ５０１，５０２の左右幅を第１シート体１０の左右幅の半分以上の長さで左辺１０Ｌ及び右辺１０Ｒにそれぞれ設けたとしても、折り畳み時にフラップ５０１，５０２が互いに重複することがなく、整形衣料の厚みが局所的に増大することを防止できる。
【００７８】
また、図１１に示す衣料折畳収納補助具５００は、左辺１０Ｌに対して連結されたフラップ５０３と、第１シート体１０の露出部１０ａに対して連結されたフラップ５０４とを有する。フラップ５０３，５０４は、第１シート体１０との連結部分で折り曲げ可能であり、この連結部分で折り曲げることによりフラップ５０３，５０４と第１シート体１０（の表面１０Ｓ又は裏面１０Ｂ）とが対面する状態に折り畳むことができる。
【００７９】
このように設けられたフラップ５０３は、上述したフラップ５０１と同様の機能を実現する一方、フラップ５０４は、各折畳部位の間の介挿材として用いることもできるし、また、衣料の第１シート体１０に巻き回された部分と第２シート体２０に巻き回された部分との間の介挿材として用いることもできる。
【００８０】
また、図２４に示す衣料折畳収納補助具５００は、左辺１０Ｌに対して連結されたフラップ５０５を有する。フラップ５０５は、第１シート体１０との連結部分で折り曲げ可能であり、この連結部分で折り曲げることによりフラップ５０５と第１シート体１０（の表面１０Ｓ又は裏面１０Ｂ）とが対面する状態に折り畳むことができる。フラップ５０５は、第１シート体１０の左辺１０Ｌにおいて、第３シート体３０寄りの位置に連結されている。
【００８１】
このため、衣料折畳収納補助具５００に巻き回すように折り畳まれた衣料の上からフラップ５０５を第１シート体１０（の表面１０Ｓ又は裏面１０Ｂ）に対面する状態に折り重ねると、第１シート体１０と第２シート体２０の裏面１０Ｂ，２０Ｂを対面状態とする際に衣料の折り目となる部位付近にフラップ５０５が位置することになる。このため。第１シート体１０と第２シート体２０の介挿される衣料の折り目における皺や歪みの発生を防止することができる。
【００８２】
（６）第６の実施形態：
次に、衣料折畳収納補助具の第６の実施形態について説明する。図１２は、本実施形態に係る衣料折畳収納補助具６００を平面的に示す図である。なお、本実施形態に係る衣料折畳収納補助具６００は、収納ポケットを有する点を除くと上述した第１の実施形態に係る衣料折畳収納補助具１００と同様の構成であるため、収納ポケット以外の構成については第１の実施形態と同じ符号を用いて説明を行う。また、図１２には収納ポケットを第２シート体２０の裏面２０Ｂに１つ設けた例を示してあるが、収納ポケットの位置や数は適宜に変更可能である。
【００８３】
このように設けた収納ポケット６１０は、様々な用途に利用することができる。例えば、折畳収納対象となる衣料に付属する又はセットで用いられる小物等を収納ポケット６１０に入れてまとめて整形衣料とすることにより整理収納性が向上する。また例えば、収納ポケット６１０には、香りを発する部材（ポプリ、芳香剤等）を入れたり、防虫剤を入れたりしてもよい。
【００８４】
（７）第７の実施形態： 
次に、衣料折畳収納補助具の第７の実施形態について説明する。図１３，図１４は、本実施形態に係る衣料折畳収納補助具７００を平面的に示す図である。なお、本実施形態に係る衣料折畳収納補助具７００は、フラップの位置及び形状が異なる点を除くと上述した第５の実施形態に係る衣料折畳収納補助具５００と同様の構成であるため、フラップ以外の構成については第５の実施形態と同じ符号を用いて説明を行う。
【００８５】
衣料折畳収納補助具７００においては、フラップ７０１，７０２が第１シート体１０の左辺１０Ｌ及び右辺１０Ｒの左右対称な位置にそれぞれ連結されている。フラップ７０１，７０２の上縁は、着用衣料の肩ラインに沿うような下り傾斜状のテーパーを付けて形成されている。また、第１シート体１０の上辺１０Ｕ又は露出部１０ａには、クエスチョンマーク状のフック形状に形成されたフラップ７０３の基端が連結されている。
【００８６】
このため、図１３（ａ），図１４（ａ）に示すようにフラップ７０１，７０２，７０３を拡げて、図１３（ｂ），図１４（ｂ）に示すように衣料折畳収納補助具７００を着用衣料の内部に入れてフラップ７０１，７０２が肩ラインに沿うように配置すると、フラップ７０３が着用衣料の首穴から上方に突出した状態になる。このフラップ７０３を物干し竿やクローゼットのレールに掛けることにより、衣料折畳収納補助具７００をハンガーとして用いることができる。
【００８７】
このように衣料折畳収納補助具７００のフラップ７０１，７０２，７０３をハンガー形状へと展開可能としたことにより、洗濯した着用衣料を干す際に衣料折畳収納補助具７００を使用可能となる。すなわち、着用衣料が乾燥して取り込んだら、着用衣料の中に衣料折畳収納補助具７００を入れたままフラップ７０１，７０２，７０３を折り畳むことが可能であり、着用衣料をハンガー状の衣料折畳収納補助具７００から取り外すことなく、多少折畳み手順は異なるもののそのまま整形衣料に形成することができる。
【００８８】
なお、衣料折畳収納補助具７００は、図１４に示すように、第１シート体１０の上辺１０Ｕの両肩部にもテーパー形状を設けてもよく、このテーパー形状をフラップ７０１，７０２のテーパー形状と連続的に形成することにより、首回りの狭い着用衣料についても肩ラインに沿った形状を実現することができる。
【００８９】
（８）第８の実施形態： 
次に、衣料折畳収納補助具の第８の実施形態について説明する。図１５は、本実施形態に係る衣料折畳収納補助具８００を平面的に示す図である。
【００９０】
なお、本実施形態に係る衣料折畳収納補助具８００は、フラップの形状が異なる点を除くと上述した第５の実施形態に係る衣料折畳収納補助具５００と同様の構成であるため、フラップ以外の構成については第５の実施形態と同じ符号を用いて説明を行う。
【００９１】
衣料折畳収納補助具８００は、その形状に玩具性あるデザインを取り込んである。具体的には、フラップ８０１，８０２の形状を、作業者としての子供が好みそうな形状（鳥や天使の羽根状）に形成してある。これにより、作業者としての子供の興味を惹起して衣料の折り畳み作業に子供が参加する契機を作りやすくなる。さらに、フラップ８０１，８０２の表面に子供が好みそうな絵柄を付すことにより、作業者としての子供の興味を惹起する効果が更に高まる。しかも、その可愛らしい形状や絵柄故に衣料折畳収納補助具８００を大切に扱う気持ちを育みやすく、衣料折畳収納補助具８００を用いて折り畳まれる衣料についても大切に扱う気持ちが育まれることが予想される。
【００９２】
（９）第９の実施形態：
次に、衣料折畳収納補助具の第９の実施形態について説明する。図２２は、本実施形態に係る衣料折畳収納補助具９００を平面的に示す図である。
【００９３】
なお、本実施形態に係る衣料折畳収納補助具９００は、係止部の形状及び構造並びに係止部に係止される紐材の形状及び構造が異なる点を除くと上述した第１の実施形態に係る衣料折畳収納補助具１００と同様の構成であるため、係止部及び紐材以外の構成については第１の実施形態と同じ符号を用いて説明を行う。
【００９４】
衣料折畳収納補助具９００は、第１シート体１０の左辺１０Ｌ及び右辺１０Ｒの縁部には、それぞれ係止部９１１Ｌ，９１１Ｒが形成されている。係止部９１１Ｌ，９１１Ｒには、紐材９４０の一端が係止固定される。係止部９１１Ｌ，９１１Ｒに紐材９４０の一端を係止固定する係止固定構造は、係止部９１１Ｌ，９１１Ｒの側に設けられてもよいし、紐材９４０の側に設けられてもよいし、双方に設けて組み合わせて用いてもよい。このような係止固定構造としては、ボタン、面ファスナー、フック構造等、公知の各種の構造を採用可能である。
【００９５】
図２２には、ボタンを用いた係止固定構造を紐材９４０の側に設けたものを例示してある。この例では、長手方向を左辺１０Ｌ又は右辺１０Ｒと平行な方向に配向させたスリット状の開口を２つ平行に配設して係止部９１１Ｌ，９１１Ｒをそれぞれ構成している。紐材９４０は、一方の端部付近の表裏に互いに係合し合う雄ボタン９４１と雌ボタン９４２とを固定してある。この端部付近を折り返して雄ボタン９４１と雌ボタン９４２を互いに係合させると紐材９４０の端部が輪状に固定される。
【００９６】
従って、図２２（ａ）に示すように、紐材９４０の端部を係止部９１１Ｌ，９１１Ｒの一方の開口の少なくとも一方に挿通して輪状に固定することで、紐材９４０が係止部９１１Ｌ，９１１Ｒの一方に摺動自在に固定される。そして、上述した各実施形態と同様に、衣料折畳収納補助具９００に衣料を巻き回して第１シート体１０と第２シート体２０とが対面するように衣料折畳収納補助具１００を折り畳んだ状態とし、紐材９４０を第１シート体１０及び第２シート体２０並びに衣料全体に巻き回す。
【００９７】
紐材９４０には、一方の端部の雄ボタン９４１と雌ボタン９４２より他端寄りの位置の一方の面に雌雄いずれか一方の面テープ９４３が固定され、他方の端部近くの他方の面に雌雄いずれか一方の面テープ９４４が固定されている。
【００９８】
従って、図２２（ｂ）に示すように、衣料折畳収納補助具１００を折り畳んだ状態で第１シート体１０及び第２シート体２０並びに衣料全体に巻き回した紐材９０４を、面テープ９４３，９４４を互いに係合させることにより、衣料折畳収納補助具１００の整形状態が保持することができる。
【００９９】
なお、紐材９４０を係止部９１１Ｌ，９１１Ｒの何れに固定するかは、使用者が適宜に選択することができる。すなわち、各使用者が使用しやすい方の係止部９１１Ｌ，９１１Ｒに紐材９４０を係止固定できるため、例えば、利き腕に応じて使用しやすい方の端部を起点に紐材９４０を巻き回す作業を行うことができる。
【０１００】
なお、本実施形態に係る衣料折畳収納補助具９００に設ける係止部の位置は、第１シート体１０の左辺１０Ｌ及び右辺１０Ｒの縁部に限る必要はなく、露出部１０ａの何れの位置に設けてもよい。例えば、図２３に示すように、露出部１０ａの左右方向略中央部に係止部９１１Ｃを設けても構わない。このように露出部１０ａの左右方向略中央部に係止部９１１Ｃを設けることにより、利き腕等の使用者の属人的特性に依存して使用感が変化しない係止部と紐材を実現することができる。
【０１０１】
（１０）第１０の実施形態：
次に、衣料折畳収納補助具の第１０の実施形態について説明する。図２５（ａ）には衣料折畳収納補助具１０００を平面的に示し、図２５（ｂ）には衣料折畳収納補助具１０００を側面的に示してある。なお、本実施形態に係る衣料折畳収納補助具１０００は、連結部の構成を除くと上述した第１の実施形態に係る衣料折畳収納補助具１００と同様の構成であるため、連結部以外の構成については、第１の実施形態と同じ符号を用いて説明を行う。
【０１０２】
衣料折畳収納補助具１０００においては、第１シート体１０の被連結辺である底辺１０Ｄに沿う縁部に複数の紐挿通孔１３が形成されており、第２シート体２０の被連結辺である底辺２０Ｄに沿う縁部に複数の紐挿通孔２３が形成されている。紐挿通孔１３と紐挿通孔２３は連結紐５０によって連結されている。例えば、１本の連結紐５０を紐挿通孔１３と紐挿通孔２３の間を縫うように挿通して連結紐５０の抜け止めを形成する（連結紐５０の端部を結び合わせる、端部に結び目を形成する、等）。
【０１０３】
このように、紐挿通孔１３と紐挿通孔２３及び連結紐５０で連結部を構成することにより、連結紐５０第１シート体１０と第２シート体２０の間隔を利用者自ら自由に調整できるようになる。
【０１０４】
（１１）第１１の実施形態：
次に、衣料折畳収納補助具の第１１の実施形態について説明する。図２６（ａ）には衣料折畳収納補助具１１００を平面的に示し、図２６（ｂ）には衣料折畳収納補助具１１００を側面的に示してある。なお、本実施形態に係る衣料折畳収納補助具１１００は、連結部の構成を除くと上述した第１の実施形態に係る衣料折畳収納補助具１００と同様の構成であるため、連結部以外の構成については、第１の実施形態と同じ符号を用いて説明を行う。
【０１０５】
衣料折畳収納補助具１１００においては、第１シート体１０と第２シート体２０と連結部６０とが樹脂で一体成型されており、連結部６０と第１シート体１０の境界部１０Ｂが折り曲げ自在の折曲部７０となっており、連結部６０と第２シート体２０の境界部２０Ｂが折り曲げ自在の折曲部８０となっている。
【０１０６】
折曲部７０，８０は、例えば図２６に示すように境界部１０Ｂ，２０Ｂの樹脂厚みを第１シート体１０、第２シート体２０、連結部６０よりも薄肉化することにより実現される。むろん、インサート成型やダブルモールド成型等の各種手法を用いて境界部１０Ｂ，２０Ｂを第１シート体１０や第２シート体２０の成型材料と異なる可撓性の高い樹脂で形成することにより実現することもできる。
【０１０７】
このように、衣料折畳収納補助具１１００の第１シート体１０と第２シート体２０と連結部６０とを樹脂で一体成型し、境界部１０Ｂ，２０Ｂに折曲部７０，８０を設けることにより、衣料折畳収納補助具１１００全体を一体的に作成することができる。これにより衣料折畳収納補助具１１００の統一感が向上するとともに、製造コストを抑えることができる。
【０１０８】
（１２）係止部の各種変形例： 
以上説明した各実施形態に係る衣料折畳収納補助具の係止部１１Ｌ，１１Ｒの構造は、様々に変更可能であり、図１６〜図２１に示すような形状とすることができる。
【０１０９】
図１６に示す例では、第１シート体１０の左辺１０Ｌ及び右辺１０Ｒから内方に向けて形成した切れ込みが途中で上方に屈曲するように設けてあり、弾性紐体４０の係止位置１２Ｌ，１２Ｒとなる切れ込みの奥端部を切れ込みの途中部位に比べて広く形成してある。これにより、切れ込みを通して係止位置１２Ｌ，１２Ｒに係止された弾性紐体４０が係止部１１Ｌ，１１Ｒから抜けにくい抜け止め構造が実現される。
【０１１０】
図１７に示す例では、第１シート体１０の左辺１０Ｌ及び右辺１０Ｒから内方に向けて形成した切れ込みが途中で上方に屈曲するように設けるとともに、切れ込みの起端となる各辺に向けて更にもう一度屈曲させて鉤状に形成してあり、鉤状に形成した切れ込みの奥端部を切れ込みの途中部位に比べて広く形成してある。このような構造でも、切れ込みを通して係止位置１２Ｌ，１２Ｒに係止された弾性紐体４０が係止部１１Ｌ，１１Ｒから抜けにくい抜け止め構造が実現される。
【０１１１】
図１８に示す例では、第１シート体１０の左辺１０Ｌ及び右辺１０Ｒから内方に向けて形成した切れ込みが途中で緩やかに上方に屈曲しており、弾性紐体４０の係止位置１２Ｌ，１２Ｒとなる切れ込みの奥端部を切れ込みの途中部位に比べて広く形成してある。これにより、切れ込みを通して係止位置１２Ｌ，１２Ｒに係止された弾性紐体４０が係止部１１Ｌ，１１Ｒから抜けにくい抜け止め構造が実現される。
【０１１２】
図１９，図２０に示す例では、露出部１０ａの左右縁部に略コ字状の切り欠きとして係止部１１Ｌ，１１Ｒを形成してある。弾性紐体４０の係止位置１２Ｌ，１２Ｒとなる略コ字状の切り欠きの両端部は、切れ込みの途中部位に比べて広く形成してある。なお、図１９に示す例では、係止部１１Ｌ，１１Ｒのコ字の開口を互いに対向させて配設してあり、図２０に示す例では、係止部１１Ｌ，１１Ｒのコ字の開口をいずれも上方に向けて配設してある。このような形状であっても、切れ込みを通して係止位置１２Ｌ，１２Ｒに係止された弾性紐体４０が係止部１１Ｌ，１１Ｒから抜けにくい抜け止め構造が実現される。
【０１１３】
図２１に示す例では、図１９に示すような略コ字状の切り欠きの一方の端部を更にフック状に屈曲させてあり、その屈曲させた先端部を切れ込みの途中部位に比べて広く形成して弾性紐体４０の係止位置１２Ｌ，１２Ｒとしてある。このような形状にしても、切れ込みを通して係止位置１２Ｌ，１２Ｒに係止された弾性紐体４０が係止部１１Ｌ，１１Ｒから抜けにくい抜け止め構造が実現される。
【０１１４】
このように、衣料折畳収納補助具の係止部１１Ｌ，１１Ｒの構造は、弾性紐体４０を露出部１０ａの係止位置１２Ｌ，１２Ｒに係止可能であればよく、上述した実施形態や変形例で説明した例に限らず様々に変更可能である。
【０１１５】
なお、本発明は上述した実施形態や変形例に限られず、上述した実施形態および変形例の中で開示した各構成を相互に置換したり組み合わせを変更したりした構成、公知技術並びに上述した実施形態および変形例の中で開示した各構成を相互に置換したり組み合わせを変更したりした構成、等も含まれる。また，本発明の技術的範囲は上述した実施形態に限定されず，特許請求の範囲に記載された事項とその均等物まで及ぶものである。
【符号の説明】
【０１１６】
１０…第１シート体、１０Ｕ…上辺、１０Ｄ…底辺、１０Ｌ…左辺、１０Ｒ…右辺、１０Ｓ…表面、１０Ｂ…裏面、１０ａ…露出部、１０ｂ…被包部、１１Ｌ…係止部、１１Ｒ…係止部、１２Ｌ…係止位置、１２Ｒ…係止位置、２０…第２シート体、２０Ｕ…上辺、２０Ｄ…底辺、２０Ｌ…左辺、２０Ｒ…右辺、２０Ｓ…表面、２０Ｂ…裏面、３０…第３シート体、３０Ｓ…表面、３０Ｂ…裏面、４０…紐材、１００…衣料折畳収納補助具、２００…衣料折畳収納補助具、２３０…第３シート体、３００…衣料折畳収納補助具、４００…衣料折畳収納補助具、４３１…芯材、５００…衣料折畳収納補助具、５０１…フラップ、５０２…フラップ、５０３…フラップ、５０４…フラップ、５０５…フラップ、６００…衣料折畳収納補助具、６１０…収納ポケット、７００…衣料折畳収納補助具、７０１…フラップ、７０２…フラップ、７０３…フラップ、８００…衣料折畳収納補助具、８０１…フラップ、８０２…フラップ、９００…衣料折畳収納補助具、９１１Ｌ，９１１Ｒ…係止部、９１１Ｃ…係止部、９４０…紐材、９４１…雄ボタン、９４２…雌ボタン、９４３…面テープ、９４４…面テープ、ＣＬ１…Ｔシャツ、ＣＬ２…セーター、ＣＬ３…ハンカチ、１０００…衣料折畳収納補助具、５０…連結紐、１３…紐挿通孔、２３…紐挿通孔、１１００…衣料折畳収納補助具、６０…連結部、７０…折曲部、８０…折曲部
【図１】
2016135687.tif 000003
【図２】
2016135687.tif 000004
【図３】
2016135687.tif 000005
【図４】
2016135687.tif 000006
【図５】
2016135687.tif 000007
【図６】
2016135687.tif 000008
【図７】
2016135687.tif 000009
【図８】
2016135687.tif 000010
【図９】
2016135687.tif 000011
【図１０】
2016135687.tif 000012
【図１１】
2016135687.tif 000013
【図１２】
2016135687.tif 000014
【図１３】
2016135687.tif 000015
【図１４】
2016135687.tif 000016
【図１５】
2016135687.tif 000017
【図１６】
2016135687.tif 000018
【図１７】
2016135687.tif 000019
【図１８】
2016135687.tif 000020
【図１９】
2016135687.tif 000021
【図２０】
2016135687.tif 000022
【図２１】
2016135687.tif 000023
【図２２】
2016135687.tif 000024
【図２３】
2016135687.tif 000025
【図２４】
2016135687.tif 000026
【図２５】
2016135687.tif 000027
【図２６】
2016135687.tif 000028